(57)【要約】【課題】シートクッションおよびシートバックを前方に跳ね上げた状態においてヘッドレストのヘッド支え部に汚れが生じることを防止できるシート装置を提供する。【解決手段】シート装置１５は、左セカンドシート１６を跳上げ姿勢に跳上げ可能とし、跳上げ姿勢に配置された状態で、左ヘッドレスト４３が左シートバックの下側に位置するように構成されている。左ヘッドレストは、着座姿勢において、上方に起立した使用位置Ｐ１と前傾位置Ｐ２との間で回転可能に左シートバック４２に設けられている。そして、跳上げ姿勢において、前傾位置にある左ヘッドレストの後面２３２を下方に向けて、後面の支持プレート２２１を車体フロア１１に接触させるようにした。【選択図】図１０
2011131814.tif 000002
【特許請求の範囲】
【請求項１】
シートクッションと、該シートクッションに傾倒可能に設けられたシートバックと、該シートバックの上部に設けられたヘッドレストを有し、前記シートクッションを略水平に配置した着座姿勢において前記シートバックを傾倒させて前記シートクッションに重ね合わせ可能なシート体を備え、
前記シートバックを前記シートクッションに重ね合わせた前記シート体を前方の跳上げ姿勢に跳上げ可能とし、
前記跳上げ姿勢に配置された状態で前記ヘッドレストが前記シートバックの下側に位置し、
前記ヘッドレストが、前記着座姿勢において上方に起立した使用位置と、前方に回転した前傾位置との間で回転可能に前記シートバックに設けられ、
前記跳上げ姿勢において、前記前傾位置にある前記ヘッドレストの後面を下方に向けて、該後面を前記シートクッションを支えるフロアに接触させたことを特徴とするシート装置。
【請求項２】
前記跳上げ姿勢において下方に向けて配置された前記ヘッドレストの後面に、該ヘッドレストの他の面より硬質な支持面を設けたことを特徴とする請求項１記載のシート装置。
【発明の詳細な説明】
【技術分野】
【０００１】
本発明は、シートクッションにシートバックが傾倒可能に設けられ、シートバックの上部にヘッドレストが設けられ、傾倒させたシートバックをシートクッションに重ね合わせた状態で前方に跳上げ可能なシート装置に関する。
【背景技術】
【０００２】
シート装置のなかには、シートクッションの前部がヒンジを介してフロアに回動自在に支持されたものがある。
このシート装置によれば、シートクッションにシートバックを重ね合わせた後、シートクッションおよびシートバックをヒンジを軸にして前方に揺動させ（跳ね上げ）、ヘッドレストをフロアに当接することでヒンジおよびヘッドレストでシートクッションやシートバックを支えることができる（例えば、特許文献１参照。）。
【先行技術文献】
【特許文献】
【０００３】
【特許文献１】特開平７−３１５０９３号公報
【発明の概要】
【発明が解決しようとする課題】
【０００４】
特許文献１のシート装置は、シートクッションおよびシートバックを前方に揺動させ（跳ね上げ）た状態において、ヘッドレストをフロアに当接させてシートクッションやシートバックを支えている。
しかし、ヘッドレストをフロアに当接することで、ヘッドレストのヘッド支え部（すなわち、乗員の頭部を支える前面）が汚れることが考えられる。
【０００５】
本発明は、シートクッションおよびシートバックを前方に揺動させ（跳ね上げ）た状態においてヘッドレストのヘッド支え部に汚れが生じることを防止できるシート装置を提供することを課題とする。
【課題を解決するための手段】
【０００６】
請求項１に係る発明は、シートクッションと、該シートクッションに傾倒可能に設けられたシートバックと、該シートバックの上部に設けられたヘッドレストを有し、前記シートクッションを略水平に配置した着座姿勢において前記シートバックを傾倒させて前記シートクッションに重ね合わせ可能なシート体を備え、前記シートバックを前記シートクッションに重ね合わせた前記シート体を前方の跳上げ姿勢に跳上げ可能とし、前記跳上げ姿勢に配置された状態で前記ヘッドレストが前記シートバックの下側に位置し、前記ヘッドレストが、前記着座姿勢において上方に起立した使用位置と、前方に回転した前傾位置との間で回転可能に前記シートバックに設けられ、前記跳上げ姿勢において、前記前傾位置にある前記ヘッドレストの後面を下方に向けて、該後面を前記シートクッションを支えるフロアに接触させたことを特徴とする。
【０００７】
請求項２は、前記跳上げ姿勢において下方に向けて配置された前記ヘッドレストの後面に、該ヘッドレストの他の面より硬質な支持面を設けたことを特徴とする。
【発明の効果】
【０００８】
請求項１に係る発明では、着座姿勢においてヘッドレストを上方に起立した使用位置と、前方に回転した前傾位置との間で回転可能とした。
そして、跳上げ姿勢において、前傾位置にあるヘッドレストの後面を下方に向けてフロアに接触可能とした。
このように、前傾位置に配置したヘッドレストの後面をフロアに接触させることで、跳上げ姿勢のシート体をヘッドレストの後面で支えることができる。
【０００９】
ここで、ヘッドレストを前方に回転して前傾位置に配置した状態において、ヘッドレストのヘッド支え部（前面）をシートバック側に向けることができる。
よって、ヘッドレストの下面をフロアに接触させた状態において、ヘッド支え部をフロアに対して非接触状態に保つことができる。
これにより、ヘッドレストのヘッド支え部に汚れが生じることを防止でき、外観性の向上を図ることができる。
【００１０】
さらに、ヘッドレストを前方に回転させて前傾位置に配置することで、ヘッドレストをシートバックに近づけることができる。
これにより、シートバックおよびヘッドレストをコンパクトにまとめることができ、シート体を跳上げ姿勢に跳ね上げる際の操作性を一層高めることができる。
【００１１】
請求項２に係る発明では、前記跳上げ姿勢において、ヘッドレストの後面に他の面より硬質な支持面を設けた。
よって、支持面をフロアに接触させた状態で、支持面が撓んだりせず、ヘッドレストの他の面がフロアに接触することを防止できる。
【図面の簡単な説明】
【００１２】
【図１】本発明に係るシート装置を備えた車両を示す斜視図である。
【図２】図１のシート装置を示す斜視図である。
【図３】図２のスライダからカバーを外した状態を示す斜視図である。
【図４】図４（ａ）は図２の４ａ部拡大図であり、左シートバックおよび左ヘッドレストを想像線で示した図、図４（ｂ）は図２（ａ）の４ｂ矢視図である。
【図５】図５（ａ）は左ヘッドレストを使用位置に配置した状態を示す断面図、図５（ｂ）は図５（ａ）の左ヘッドレストを前傾位置に配置した状態を示す断面図である。
【図６】本発明に係るシート装置を後下方から見た状態を示す斜視図である。
【図７】図７（ａ）は図３の７ａ−７ａ線断面図、図７（ｂ）は図８の７ｂ−７ｂ線断面図である。
【図８】図３の８部拡大図である。
【図９】本発明に係る前鉛直脚部をスライダより後方に配置した理由を説明する側面図である。
【図１０】図９の１０部拡大図である。
【図１１】本発明に係る左ヘッドレストを前傾位置まで回転する例を説明する斜視図である。
【図１２】本発明に係る左セカンドシートを跳ね上げる例を説明する斜視図である。
【図１３】本発明に係る左セカンドシートを跳ね上げた状態を説明する図である。
【図１４】本発明に係る収納姿勢の左セカンドシートを右足元スペースに配置した状態を説明する斜視図である。
【図１５】本発明に係る荷物スペースに自転車を搭載した例を示す平面図である。
【発明を実施するための形態】
【００１３】
本発明を実施するための最良の形態を添付図に基づいて以下に説明する。なお、「前」、「後」、「左」、「右」は運転者から見た方向にしたがい、前側をＦｒ、後側をＲｒ、左側をＬ、右側をＲとして示す。
【実施例】
【００１４】
実施例に係るシート装置１５について説明する。
図１に示すように、車両１０は、車体フロア（フロア）１１に設けられたドライバシート１２と、ドライバシート１２の車体幅方向に隣接して設けられたパッセンジャシート１３と、ドライバシート１２およびパッセンジャシート１３の車体後方に設けられたシート装置１５を備えている。
【００１５】
ドライバシート１２は、車体フロア１１に内外のスライドレール２１を介して車体前後方向にスライド移動可能に支持されている。
パッセンジャシート１３は、ドライバシート１２と同様に、車体フロア１１に内外のスライドレール２２を介して車体前後方向にスライド移動可能に支持されている。
【００１６】
シート装置１５は、パッセンジャシート１３の車体後方に設けられた左セカンドシート（シート体）１６と、ドライバシート１２の車体後方に設けられた右セカンドシート（シート体）１７とを備えている。
【００１７】
左セカンドシート１６および右セカンドシート１７は車体幅方向（シート幅方向）に併設されている。
左セカンドシート１６の前方（すなわち、左セカンドシート１６およびパッセンジャシート１３間）に左足元スペース１８が形成されている。
右セカンドシート１７の前方（すなわち、右セカンドシート１７およびドライバシート１２間）に右足元スペース１９（図２参照）が形成されている。
【００１８】
この車両１０は、左セカンドシート１６と右セカンドシート１７とのそれぞれの側方の開口部（車体側方の開口部）に対して車体前後方向に開閉自在なスライドドア２３（図１５参照）が設けられている。スライドドア２３を車体後方に開放して車体側方の開口部を開け、この開口部から左右のセカンドシート１６，１７に乗降できる。
【００１９】
また、左セカンドシート１６および右セカンドシート１７の後方には荷室２４（図１５参照）が備えられ、荷室２４後方の開口部（車体後方の開口部）に対して開閉自在なテールゲート２８（図１５参照）が設けられている。このテールゲート２８を開放して車体後方の開口部を開け、この開口部から荷室２４に荷物を搭載することができる。
【００２０】
また、図２、図３に示すように、シート装置１５は、左セカンドシート１６を支える左脚部機構２５と、左セカンドシート１６を車体幅方向の所定位置に保持可能な左ロック／非ロック機構２７と、右セカンドシート１７を支える右脚部機構３１と、右セカンドシート１７を車体幅方向の所定位置に保持可能な右ロック／非ロック機構３３と、左右の脚部機構２５，３１を車体幅方向（シート幅方向）に案内する固定レール３５とを備えている。
【００２１】
左脚部機構２５の左スライダ４８は、左セカンドシート１６に対して車体幅方向の中央よりも左側（車体幅方向外側）に配置されている。
また、右脚部機構３１の右スライダ８６は、右セカンドシート１７に対して車体幅方向の中央よりも右側（車体幅方向外側）に配置されている。
【００２２】
なお、右脚部機構３１および右ロック／非ロック機構３３は、左脚部機構２５および左ロック／非ロック機構２７と左右対称の構成であり、右側の各機構３１，３３の詳しい説明を省略する。
【００２３】
左セカンドシート１６は、乗員（着座者）が着座する左シートクッション（シートクッション）４１と、左シートクッション４１の後部に車体前後方向に傾倒可能な左シートバック（シートバック）４２と、左シートバック４２の上部４２ａに上下動可能に設けられた左ヘッドレスト（ヘッドレスト）４３と、左ヘッドレスト４３に設けられた支持プレート（支持面）２２１（図４（ｂ）参照）と、左シートクッション４１の下部に設けられた内外の左スライドレール４４とを備えている。
右セカンドシート１７は、左セカンドシート１６と左右対称の部材であり詳しい説明を省略する。
【００２４】
図４に示すように、左ヘッドレスト４３は、左シートバック４２のフレーム２０１（図２も参照）に設けられた一対のガイド部材２０２と、一対のガイド部材２０２に上下方向に移動自在に挿通されたステイ２２２と、ステイ２２２の上部２２２ａに揺動自在に設けられた揺動手段２２３と、揺動手段２２３に設けられたヘッドレスト本体２２４とを備えている。
【００２５】
揺動手段２２３は、ステイ２２２の上部２２２ａに支持ピン２２７を介して揺動自在に設けられた揺動部材２２６と、揺動部材２２６およびステイ２２２に架け渡された引張りばね２２８とを備えている。
揺動部材２２６にヘッドレスト本体２２４が設けられている。
【００２６】
ヘッドレスト本体２２４は、着座者の頭部を凭れさせる前面（以下、「ヘッド支え部」という）２３１（図２参照）と、ヘッド支え部２３１の後側に設けられた後面２３２とを有する。
ヘッドレスト本体２２４の後面２３２に支持プレート２２１が設けられている。
【００２７】
図５（ａ）に示すように、左ヘッドレスト４３によれば、着座姿勢においてヘッドレスト本体２２４を使用位置Ｐ１に配置した状態において、引張りばね２２８が支持ピン２２７の後方に位置する。よって、引張りばね２２８で揺動部材２２６が後方に付勢され、付勢された揺動部材２２６がステイ２２２の頂部２２２ｂに当接する。
これにより、引張りばね２２８の付勢力でヘッドレスト本体２２４が使用位置Ｐ１に保持され、ヘッド支え部２３１に着座者の頭部を凭れさせることができる。
ここで、使用位置Ｐ１とは、着座姿勢においてヘッドレスト本体２２４を上方に起立させた位置をいう。
なお、着座姿勢については後で詳しく説明する。
【００２８】
図５（ｂ）に示すように、左ヘッドレスト４３を前傾位置Ｐ２に配置した状態において、引張りばね２２８が支持ピン２２７の前方に位置する。
よって、引張りばね２２８で揺動部材２２６が前方に付勢され、付勢された揺動部材２２６がストッパ２３４に当接する。
【００２９】
これにより、引張りばね２２８の付勢力でヘッドレスト本体２２４が前傾位置Ｐ２に保持され、後面２３２（すなわち、支持プレート２２１）を上方に向けることができる。
さらに、ヘッドレスト本体２２４のヘッド支え部（前面）２３１を左シートバック４２の上部４２ａ側に向けることができる。
【００３０】
加えて、ヘッド支え部２３１を左シートバック４２の上部４２ａ側に向けることで、左シートバック４２および左ヘッドレスト４３を高さ方向においてコンパクトにまとめることができる。
ここで、前傾位置Ｐ２とは、着座姿勢においてヘッドレスト本体２２４を使用位置Ｐ１から前方に回転することで、ヘッドレスト本体２２４の後面２３２を上方に向けた位置をいう。
【００３１】
すなわち、図５（ａ），（ｂ）に示すように、左ヘッドレスト４３は、ヘッドレスト本体２２４が使用位置Ｐ１および前傾位置Ｐ２間で支持ピン２２７を軸にして矢印方向に回転可能（揺動可能）に左シートバック４２の上部４２ａに設けられている。
【００３２】
支持プレート２２１は、ヘッドレスト本体２２４の後面２３２に設けられた平坦な板材であり、ヘッドレスト本体２２４の外周面（ヘッドレストの他の面）２２４ａより硬質な部材で形成されている。
支持プレート２２１を形成する硬質な部材としては、一例として、６ナイロンが用いられる。
ここで、ヘッドレスト本体２２４を前傾位置Ｐ２に保持した状態において、後面２３２が上方に向けられている。
よって、ヘッドレスト本体２２４の後面２３２に支持プレート２２１を設けることで、ヘッドレスト本体２２４を前傾位置Ｐ２に保持するだけの簡単な操作で、支持プレート２２１を上方に向けることができる。
【００３３】
なお、支持プレート２２１をヘッドレスト本体２２４の外周面２２４ａより硬質な部材で形成した理由については後述する。
【００３４】
図６に示すように、左脚部機構２５は、内外の左スライドレール４４の前部に設けられた左前脚４５と、内外の左スライドレール４４の後部に設けられた左後脚４６と、左セカンドシート１６を着座姿勢および収納姿勢（跳上げ姿勢）間で移動させる左移動機構４７と、左移動機構４７を支持するとともに固定レール３５に摺動可能に連結された左スライダ４８と、着座姿勢および収納姿勢（跳上げ姿勢）間の移動に左後脚４６を連動させる左リンク機構９２とを備えている。
【００３５】
左前脚４５は、内左スライドレール４４の前部に上端５１ａが連結されて略鉛直下方向に延びる内左前鉛直脚部（鉛直脚部）５１と、外左スライドレール４４の前部に上端５２ａが連結されて略鉛直下方向に延びる外左前鉛直脚部（鉛直脚部）５２と、内左前鉛直脚部５１および外左前鉛直脚部５２の各下端５１ｂ，５２ｂに架け渡された左前横脚部５３と、左前横脚部５３から前方に略水平に延びる内外の水平部５４，５５（図９も参照）と、左前横脚部５３に設けられた内外の支え部材（弾性部材）５６，５７とを有する。
【００３６】
左前横脚部５３は、内左前鉛直脚部５１および外左前鉛直脚部５２の各下端５１ｂ，５２ｂに架け渡された略水平の棒状部材である。
内外の水平部５４，５５は、内外の左前鉛直脚部５１，５２の下端５１ｂ，５２ｂから左前横脚部５３を介して前方に略水平に延びる部材である。
【００３７】
具体的には、図７（ａ）に示すように、外水平部５５は、外左前鉛直脚部５２の下端５２ｂから左前横脚部５３を介して前方に距離Ｌ１だけ略水平に延出され、前部５５ａが外回転軸６２を介して左スライダ４８の外側部４８ｂに回動自在に連結されている。
【００３８】
また、図７（ｂ）に示すように、内水平部５４は、図７（ａ）に示す外水平部５５と同様に、内左前鉛直脚部５１の下端５１ｂから左前横脚部５３を介して前方に距離Ｌ１だけ略水平に延出され、前部５４ａが内回転軸６１を介して左スライダ４８の内側部４８ａ（図８参照）に回動自在に連結されている。
内外の回転軸６１，６２は、左シートクッション４１の前部４１ｂを左前脚４５を介して回動自在に支持する部材である。
【００３９】
図７（ａ），（ｂ）に示すように、内左前鉛直脚部５１の下端５１ｂから左前横脚部５３を介して内水平部５４を設けるとともに、外左前鉛直脚部５２の下端５２ｂから左前横脚部５３を介して外水平部５５を設けた。
これにより、内外の左前鉛直脚部５１，５２を左スライダ４８より距離Ｌ２だけ後方に配置することができる（図７（ａ）参照）。
【００４０】
図６に示すように、左後脚４６は、内左スライドレール４４の後部に上端６４ａが回動自在に連結された内左後脚６４と、外左スライドレール４４の後部に設けられた外左後脚６５とを有する。
内左後脚６４は、下端６４ｂが内側ストライカ６７（図３も参照）に着脱可能に形成されている。
外左後脚６５は、下端６５ａが左外側ストライカ６８（図３も参照）に着脱可能に形成されている。
【００４１】
左シートバック４２（図３も参照）を左シートクッション４１に向けて傾倒させるリクライニングレバーの操作に連動して、下端６４ｂ，６５ｂの各ロック爪（図示せず）が内側ストライカ６７や左外側ストライカ６８（図３参照）からそれぞれ解放される。
よって、内左後脚６４の下端６４ｂを左内側ストライカ６７から離脱でき、外左後脚６５の下端６５ｂを左外側ストライカ６８から離脱できる。
【００４２】
図７に示すように、左移動機構４７は、内水平部５４の前部５４ａを左スライダ４８の内側部４８ａ（図８参照）に回動自在に連結する内回転軸６１と、外水平部５５の前部５５ａを左スライダ４８の外側部４８ｂに回動自在に連結する外回転軸６２と、左セカンドシート１６の円滑な移動（着座姿勢および収納姿勢間移動）を可能にする左ダンパ７１（図６参照）とを有する。
【００４３】
内外の回転軸６１，６２は、左スライダ（フロア側の部材）４８に連結され、かつ、図８に示すように車体幅方向に向けて延出（配置）されている。
内外の回転軸６１，６２を軸にして左前脚４５を揺動（スイング移動）することで、左セカンドシート１６を着座姿勢および収納姿勢（図９参照）間で移動（揺動）させることができる。
【００４４】
図６に示す左ダンパ７１は、外取付ブラケット７３および外支えブラケット７５に連結され、左セカンドシート１６を着座姿勢および収納姿勢間で移動させる際に生じる衝撃を緩和する部材である。
よって、左セカンドシート１６を着座姿勢および収納姿勢間で円滑に移動させることができる。
外取付ブラケット７３は、左シートクッション４１の背面４１ａのうち前外側角部（具体的には、外左スライドレール４４の前部）に設けられている。
外支えブラケット７５は、左スライダ４８の外側部４８ｂ（図８も参照）に設けられている。
【００４５】
着座姿勢とは、左セカンドシート１６の左シートクッション４１に着座者が着座可能になるように、左シートクッション４１が略水平に配置された姿勢をいう。
収納姿勢とは、左セカンドシート１６の左シートクッション４１まで左シートバック４２を前方に傾倒させて左シートクッション４１に重ね合わせ、重ね合わせた左シートクッション４１および左シートバック４２を前方に略９０度跳ね上げて（揺動させて）起立させた跳上げ姿勢（図９参照）をいう。
【００４６】
着座姿勢において、左前横脚部５３と車体フロア１１との間に内外の支え部材５６，５７が介在されている（備えられている）。
内支え部材５６は、左前横脚部５３に設けられるとともに、内左前鉛直脚部５１の下方に配置された弾性部材である。
外支え部材５７は、左前横脚部５３に設けられるとともに、外左前鉛直脚部５２の下方に配置された弾性部材である。
【００４７】
図８に示すように、内外の回転軸６１，６２は左スライダ４８に設けられている。
左スライダ４８は、固定レール３５に沿って車体幅方向に摺動可能に設けられている（連結されている）。
この左スライダ４８は、スライダ本体８１の内端に内ローラ８２が回転自在に設けられ、スライダ本体８１の外端に外ローラ８３が回転自在に設けられ、スライダ本体８１がカバー８４（図２参照）で覆われている。
内外のローラ８２，８３が固定レール３５の底部３５ａに沿って移動することで、左スライダ４８が固定レール３５に沿って車体幅方向に移動することができる。
【００４８】
図６に示すように、左リンク機構９２は、左シートクッション４１を着座姿勢に保持した状態で内左後脚６４を左脚支え軸１１９を軸にして略鉛直状態に保ち、左シートクッション４１を収納姿勢に保持した状態で内左後脚６４を左脚支え軸１１９を軸にして折畳み位置に保つ機構である。
【００４９】
この左リンク機構９２は、内取付ブラケット７２および外取付ブラケット７３に架け渡された連結ロッド１１１と、連結ロッド１１１の内端に設けられた内アーム１１２と、連結ロッド１１１の外端に設けられた外アーム１１３と、内アーム１１２の先端および内左後脚６４の上端６４ａに連結された連結アーム１１６と、外アーム１１３の先端および外支えブラケット７５に連結された連結レバー１１７とを備えている。
【００５０】
左リンク機構９２によれば、左セカンドシート１６を着座姿勢から収納姿勢（図９参照）に移動する際に、内左後脚６４が左脚支え軸１１９を軸にして前方に向けて揺動して折り畳まれる。
一方、左セカンドシート１６を収納姿勢から着座姿勢に移動する際に、内左後脚６４が左脚支え軸１１９を軸にして後方に向けて揺動して略鉛直に配置される。
【００５１】
図３に示すように、固定レール３５は、車体幅方向に延出された状態で車体フロア１１（図１参照）に略面一に支持され（設けられ）、左セカンドシート１６の左足元スペース１８および右セカンドシート１７の右足元スペース１９に配置されている。
この固定レール３５に左右のスライダ４８，８６が摺動自在に支持されている。
【００５２】
右スライダ８６は、左スライダ４８と同様に、固定レール３５に沿って摺動可能に構成されている。
左スライダ４８を摺動させることで、左セカンドシート１６を車体幅方向（シート幅方向）に案内することができる。
さらに、右スライダ８６を摺動させることで、右セカンドシート１７を車体幅方向に案内することができる。
【００５３】
図３、図８に示すように、左ロック／非ロック機構２７は、固定レール３５における所定位置で左スライダ４８をロックする左ロック機構１３１と、左ロック機構１３１のロックを解除する左操作部材１３２と、着座姿勢においてロック解除操作を規制し、非ロック状態において着座姿勢への移動を規制する左規制部材１３３とを備えている。
【００５４】
左ロック機構１３１は、ロック状態のとき固定レール３５の所定位置に左スライダ４８をロックする部材である。
さらに、左ロック機構１３１は、左セカンドシート１６が収納姿勢（図９参照）で、かつ非ロック状態のとき固定レール３５に沿って左スライダ４８を移動可能とする部材である。
左操作部材１３２は、左ロック機構１３１を引き上げることで、左ロック機構１３１をロック状態から非ロック状態に切り替える部材である。
【００５５】
左規制部材１３３は、左セカンドシート１６が着座姿勢（図８の状態）にあるとき左操作部材１３２によるロック解除操作を規制する部材である。
さらに、左規制部材１３３は、左セカンドシート１６が収納姿勢（図９の状態）で、かつ左ロック機構１３１が非ロック状態のとき左シートクッション４１を着座姿勢に移動させることを規制する部材である。
【００５６】
シート装置１５の右脚部機構３１および右ロック／非ロック機構３３は、前述した左脚部機構２５および左ロック／非ロック機構２７と左右対称の構成である。
よって、左側の各機構２５，２７の説明で右側の各機構３１，３３の説明を兼ね、右側の各機構３１，３３の説明を省略する。
【００５７】
ここで、前述したように、左セカンドシート１６の内外の左前鉛直脚部５１，５２は左スライダ４８より距離Ｌ２だけ後方に配置されている（図７（ａ）参照）。
図９に示すように、右セカンドシート１７は、左セカンドシート１６と同様に、右セカンドシート１７の内外の右前鉛直脚部７８，７９から内外の水平部７６，７７を延ばすことで、内外の右前鉛直脚部７８，７９が右スライダ８６（図３参照）より距離Ｌ２だけ後方に配置されている。
【００５８】
ここで、左セカンドシート１６を収納姿勢に配置し、右セカンドシート１７を着座姿勢に配置した状態で、左セカンドシート１６を右セカンドシート１７の前方まで固定レール３５に沿って移動する例を説明する。
内外の右前鉛直脚部７８，７９を右スライダ８６より距離Ｌ２だけ後方に配置することで、左セカンドシート１６を移動する際に、左スライダ４８（図３参照）や外支えブラケット７５が右セカンドシート１７の内外の右前鉛直脚部７８，７９に干渉することを防止できる。
【００５９】
一方、右セカンドシート１７を右移動機構８５（図３参照）で収納姿勢に配置し、収納姿勢の右セカンドシート１７を左セカンドシート１６の前方まで固定レール３５に沿って移動する。
この際に、左セカンドシート１６の内外の左前鉛直脚部５１，５２に右スライダ８６が干渉することを防止できる。
【００６０】
図１０に示すように、左セカンドシート１６を収納姿勢（跳上げ姿勢）に配置した状態において、左ヘッドレスト４３が左シートバック４２の下側に位置する。
ここで、左セカンドシート１６を収納姿勢（跳上げ姿勢）に配置する際に、左ヘッドレスト４３（ヘッドレスト本体２２４）が前傾位置Ｐ２に配置されている。
【００６１】
よって、ヘッドレスト本体２２４の後面２３２が下面となる。これにより、後面２３２の支持プレート２２１が車体フロア１１に対向する位置に（すなわち、下方に向けて）配置され、車体フロア１１のガイドプレート１２１に接触する。
このように、支持プレート２２１をガイドプレート１２１に接触させることで、支持プレート２２１（車体フロア１１）で跳上げ姿勢の左セカンドシート１６を支えることができる。
【００６２】
ここで、ヘッドレスト本体２２４を前方に回転して前傾位置Ｐ２に配置した状態において、ヘッドレスト本体２２４のヘッド支え部（前面）２３１を左シートバック４２の上部４２ａ側に向けることができる。
よって、支持プレート２２１を車体フロア１１のガイドプレート１２１に接触させた状態において、左ヘッドレスト４３のヘッド支え部２３１を車体フロア１１に対して非接触状態に保つことができる。
これにより、ヘッド支え部２３１に汚れが生じることを防止でき、外観性の向上を図ることができる。
【００６３】
さらに、左セカンドシート１６を支持プレート２２１で支えることで、左脚部機構２５を介して固定レール３５に作用する荷重を小さく抑えることができる。
よって、左セカンドシート１６を固定レール３５から離すことが可能になる。
これにより、左脚部機構２５の内外の左前鉛直脚部５１，５２の長さを任意に（例えば、長く）設定することが可能になり、設計の自由度を高めることができる。
【００６４】
加えて、支持プレート２２１は、収納姿勢に配置した左セカンドシート１６の重心位置に対して前後方向において略近傍に設けられている。
よって、左セカンドシート１６の荷重を支持プレート２２１で効率よく支えることができ、固定レール３５に作用する荷重を一層小さく抑えることができる。
【００６５】
つぎに、左セカンドシート１６を跳ね上げて、収納姿勢（跳上げ姿勢）の左セカンドシート１６を右足元スペース１９まで移動させる例を図１１〜図１５に基づいて説明する。
図１１（ａ）に示すように、左ヘッドレスト４３のヘッドレスト本体２２４を使用位置Ｐ１から前傾位置Ｐ２に向けて矢印Ａの如く前方に向けて回転（揺動）する。
【００６６】
図１１（ｂ）に示すように、ヘッドレスト本体２２４が前傾位置Ｐ２に配置される。
これにより、ヘッドレスト本体２２４の後面２３２に設けた支持プレート２２１を簡単に上方に向けることができる。
【００６７】
図１２（ａ）に示すように、左セカンドシート１６の左シートバック４２を左シートクッション４１に矢印Ｂの如く傾倒する。
【００６８】
図１２（ｂ）に示すように、左シートバック４２が左シートクッション４１に折り畳まれる。
左シートバック４２を折り畳んだ左セカンドシート１６を、内外の回転軸６１，６２（図８参照）を軸にして前方（左足元スペース１８）に向けて矢印Ｃの如く跳ね上げる（タンブル移動させる）。
【００６９】
図１３（ａ）に示すように、左シートバック４２を折り畳んだ左セカンドシート１６が左足元スペース１８まで跳ね上げられて（タンブル移動して）収納姿勢（跳上げ姿勢）になる。
ここで、図１１（ｂ）で説明したように、ヘッドレスト本体２２４を前傾位置Ｐ２に保持するだけの簡単な操作で、支持プレート２２１を上方に向けることができる。
これにより、左シートバック４２を折り畳んだ左セカンドシート１６を跳上げ姿勢に手間をかけないで跳ね上げることが可能になり、操作性を高めることができる。
【００７０】
加えて、図１１（ｂ）で説明したように、ヘッドレスト本体２２４を前方に回転させて前傾位置Ｐ２に配置することで、ヘッド支え部２３１を左シートバック４２の上部４２ａ側に向けることができる。
これにより、左シートバック４２および左ヘッドレスト４３を高さ方向においてコンパクトにまとめることができ、左セカンドシート１６を跳上げ姿勢に跳ね上げる際の操作性を一層高めることができる。
【００７１】
図１３（ｂ）に示すように、左シートバック４２を折り畳んだ左セカンドシート１６を跳上げ姿勢に跳ね上げることで、ヘッドレスト本体２２４の支持プレート２２１が車体フロア１１に対向する位置に配置され、車体フロア１１のガイドプレート１２１に接触する。
このように、支持プレート２２１をガイドプレート１２１に接触させることで、支持プレート２２１で跳上げ姿勢の左セカンドシート１６を支えることができる。
【００７２】
この状態で、図１３（ａ）に示すように、収納姿勢に跳ね上げた左セカンドシート１６を固定レール３５で矢印Ｄの如く右足元スペース１９まで移動する。
ここで、前述したように、図１３（ｂ）に示す支持プレート２２１がヘッドレスト本体２２４の外周面２２４ａより硬質な部材で形成されている。
これにより、支持プレート２２１を車体フロア１１に接触させた状態で、支持プレート２２１の撓みを抑え、ヘッドレスト本体２２４の外周面２２４ａが車体フロア１１に接触することを防止できる。
【００７３】
さらに、支持プレート２２１を硬質な部材で形成することで、支持プレート２２１をガイドプレート１２１に当接させた状態で、支持プレート２２１およびガイドプレート１２１間の摩擦力を小さく抑えることができる。
これにより、収納姿勢の左セカンドシート１６を固定レール３５に沿って右足元スペース１９まで車体幅方向に移動する際に、操作荷重を軽減させることができ、操作性の向上を図ることができる。
【００７４】
特に、ガイドプレート１２１を樹脂材で形成することで、支持プレート２２１およびガイドプレート１２１間の摩擦力をさらに小さく抑えることができ、操作性の向上を一層図ることができる。
【００７５】
図１４に示すように、収納姿勢に跳ね上げた左セカンドシート１６を右足元スペース１９まで移動することで、左セカンドシート１６が右足元スペース１９に配置される。
ここで、図３で説明したように、左脚部機構２５の左スライダ４８が左セカンドシート１６に対して車体幅方向外側に配置され、右脚部機構３１の右スライダ８６が右セカンドシート１７に対して車体幅方向外側に配置されている。
よって、左セカンドシート１６を右足元スペース１９に保持した状態において、左スライダ４８および右スライダ８６はともに右セカンドシート１７の前方位置に配置可能となり、左スライダ４８および右スライダ８６が干渉することを防止できる。
【００７６】
図１５に示すように、左セカンドシート１６を右足元スペース１９まで移動することで、左セカンドシート１６を着座状態に配置するスペース１３６や左足元スペース１８から、左セカンドシート１６を除去できる。
よって、左セカンドシート１６を着座状態に配置するスペース１３６、左足元スペース１８および荷室２４の３つの空間を荷物スペース１３５としてまとめることができる。
これにより、荷物スペース１３５を大きく確保でき、この大きな荷物スペース１３５に、スライドドア２３やテールゲート２８を開放してそれぞれの開口部から自転車１３７などの大きな荷物を搭載することができる。
【００７７】
ここで、左セカンドシート１６と同様に、右セカンドシート１７を右足元スペース１９に移動し（跳ね上げ）、右足元スペース１９に移動した（跳ね上げた）右セカンドシート１７を左足元スペース１８まで移動することができる。
右セカンドシート１７を左足元スペース１８まで移動することで、右セカンドシート１７を着座状態に配置するスペースや右足元スペース１９から、右セカンドシート１７を除去できる。
【００７８】
よって、右セカンドシート１７を着座状態に配置するスペース、右足元スペース１９および荷室２４の３つの空間を荷物スペースとしてまとめることができる。
これにより、荷物スペースを大きく確保でき、大きな荷物スペースに自転車１３７などの大きな荷物を搭載することができる。
【００７９】
したがって、車両の用途に応じて、左セカンドシート１６を除去して大きな荷物スペース１３５を確保する場合と、右セカンドシート１７を除去して大きな荷物スペースを確保する場合とのいずれか一方を選択することができる。
この結果、荷物スペースを確保するレイアウトの自由度が高くなり、利便性を高めることができる。
【００８０】
なお、本発明に係るシート装置１５は、前述した実施例に限定されるものではなく適宜変更、改良などが可能である。
例えば、前記実施例では、左右のセカンドシート１６，１７に本発明を適用した例について説明したが、これに限らないで、左右のサードシートなどの他のシートに本発明を適用することも可能である。
【００８１】
また、前記実施例では、左ヘッドレスト４３のヘッドレスト本体２２４を手動で回転させる例について説明したが、これに限らないで、左シートバック４２の傾倒に連動させてヘッドレスト本体２２４を回転させることも可能である。
すなわち、左シートバック４２を前傾させる際にヘッドレスト本体２２４を連動させて前傾位置Ｐ２まで回転し、左シートバック４２を後傾させる際にヘッドレスト本体２２４を連動させて使用位置Ｐ１まで回転させることも可能である。
これにより、左セカンドシート１６を跳ね上げる際の操作性をさらに高めることができる。
【００８２】
さらに、前記実施例では、ヘッドレスト本体２２４の後面２３２に支持プレート２２１を設け、支持プレート２２１をガイドプレート１２１に当接する例について説明したが、これに限らないで、車体フロア１１に支持プレート２２１を直接当接させることも可能である。
加えて、ヘッドレスト本体２２４の後面２３２に支持プレート２２１を設けないで、後面２３２を支持プレート２２１や車体フロア１１に当接させることも可能である。
【００８３】
また、前記実施例では、ヘッドレスト本体２２４の後面２３２に支持面として支持プレート２２１を別部材で設けた例について説明したが、これに限らないで、後面２３２に支持面を一体に形成することも可能である。
【００８４】
さらに、前記実施例では、ヘッドレスト本体２２４を揺動手段２２３で回転可能（揺動可能）に支持する例について説明したが、ヘッドレスト本体２２４を回転可能に支持する手段は揺動手段２２３限らないで適宜変更が可能である。
【００８５】
また、前記実施例で示した車両１０、車体フロア１１、シート装置１５、左右のセカンドシート１６，１７、左シートクッション４１、左シートバック４２、左ヘッドレスト４３、支持プレート２２１、ヘッドレスト本体２２４、ヘッドレスト本体の外周面２２４ａおよび後面２３２などの形状や構成は例示したものに限定するものではなく適宜変更が可能である。
【産業上の利用可能性】
【００８６】
本発明は、シートクッションにシートバックを傾倒させて重ね合わせ、各部材を重ね合わせた状態で前方に跳上げ可能なシート装置を備えた自動車への適用に好適である。
【符号の説明】
【００８７】
１０…車両、１１…車体フロア（フロア）、１５…シート装置、１６…左セカンドシート（シート体）、１７…右セカンドシート（シート体）、４１…左シートクッション（シートクッション）、４２…左シートバック（シートバック）、４３…左ヘッドレスト（ヘッドレスト）、２２１…支持プレート（支持面）、２２４…ヘッドレスト本体、２２４ａ…ヘッドレスト本体の外周面（ヘッドレストの他の面）、２３２…後面、Ｐ１…使用位置、Ｐ２…前傾位置。
【図１】
2011131814.tif 000003
【図２】
2011131814.tif 000004
【図３】
2011131814.tif 000005
【図４】
2011131814.tif 000006
【図５】
2011131814.tif 000007
【図６】
2011131814.tif 000008
【図７】
2011131814.tif 000009
【図８】
2011131814.tif 000010
【図９】
2011131814.tif 000011
【図１０】
2011131814.tif 000012
【図１１】
2011131814.tif 000013
【図１２】
2011131814.tif 000014
【図１３】
2011131814.tif 000015
【図１４】
2011131814.tif 000016
【図１５】
2011131814.tif 000017